(57)【要約】【課題】使用時の覆い布に加わる引張力に耐え得る結合力を得ることができるとともに、分別回収作業時に覆い布を簡易に取外すことができるようにする。【解決手段】上面が緩衝板を介して覆い布４により覆われる合成樹脂製の座板１の周縁部で、下面に環状の溝１１を設け、該溝１１内に複数の貫通孔１２を周方向に設けて該貫通孔１２にホットメルト接着剤を充填し、緩衝板の周縁部を前記座板１の上面で前記ホットメルト接着剤に接着し、覆い布４の周縁部を前記座板１の下面１ａで前記ホットメルト接着剤に接着し、使用時の覆い布４に加わる引張力に耐え得る結合力を得ることができ、しかも、覆い布４の周縁部を摘んで覆い布４を座板１の厚さ方向へ引張ることにより、覆い布４を剥離させることができるようにした。【選択図】　　　　図４
2004049742.tif 000002
【特許請求の範囲】
【請求項１】
上面が覆い布により覆われた座板を有する椅子において、前記座板の周縁部には複数の貫通孔を周方向に有しており、該貫通孔に接着剤が充填されており、前記覆い布の周縁部は前記座板の下面で前記接着剤に接着されていることを特徴とする椅子。
【請求項２】
上面が緩衝板を介して覆い布により覆われた座板を有する椅子において、前記座板の周縁部には複数の貫通孔を周方向に有しており、該貫通孔に接着剤が充填されており、前記緩衝板の周縁部は前記座板の上面で前記接着剤に接着されており、前記覆い布の周縁部は前記座板の下面で前記接着剤に接着されていることを特徴とする椅子。
【請求項３】
前記座板の下面は前記貫通孔に連通する凹所を備える請求項１又は２記載の椅子。
【請求項４】
前記凹所は隣り合う貫通孔を連通させる溝である請求項３記載の椅子。
【発明の詳細な説明】
【０００１】
【発明の属する技術分野】
本発明は事務用、学習用等の椅子に関する。
【０００２】
【従来の技術】
椅子は座部と、該座部を支持する脚体と、前記座部の一側から上方へ延出された背凭れとを備えている。
座部は座板と、該座板の上面を覆う覆い布と、該覆い布及び前記座板の間に介装されたウレタンフォーム等の緩衝板とを有する。
座板は種々の材料により形成されており、また、覆い布は織物、皮革、合成樹脂シート等により形成されており、該覆い布の周縁部が座板の周縁部に結合されている。
【０００３】
図１０は従来の椅子における覆い布の座板への結合構造を示す一部を省略した底面図である。
ところで、座板１００が例えばポリプロピレン等の合成樹脂製である場合、この座板１００に接着剤を接着させることができないか、又は、接着力が比較的小さいため、前記覆い布１０１を座板１００に接着剤で結合することができなかった。従って、ポリプロピレン等の合成樹脂製の座板１００に覆い布１０１の周縁部を結合する場合、図１０に示すように覆い布１０１の全周縁部がホチキスの針１０２でほぼ連続的に結合されていた。
【０００４】
【発明が解決しようとする課題】
ところが、覆い布１０１が座板１００にホチキスの針１０２で結合された椅子にあっては、全てのホチキスの針１０２を取外すことが非常に難しいため、椅子をリサイクルするために座板１００等の部品を分別回収する際、覆い布１０１を取外して座板１００を回収する作業が非常に行い難く、改善策が要望されていた。
【０００５】
本発明は斯かる事情に鑑みてなされたものであり、複数の貫通孔を座板の周縁部に設け、該貫通孔に接着剤を充填し、覆い布の周縁部を前記座板の下面で前記接着剤に接着する構成とすることにより、使用時の覆い布に加わる引張力に耐え得る結合力を得ることができるとともに、分別回収作業時に覆い布を簡易に取外すことができる椅子を提供することを目的とする。
【０００６】
また、複数の貫通孔を座板の周縁部に設け、該貫通孔に接着剤を充填し、緩衝板の周縁部を前記座板の上面で前記接着剤に接着し、覆い布の周縁部を前記座板の下面で前記接着剤に接着する構成とすることにより、使用時の覆い布に加わる引張力に耐え得る結合力を得ることができるとともに、緩衝板結合用の接着剤を不要にでき、しかも、分別回収作業時に覆い布を簡易に取外すことができる椅子を提供することを目的とする。
【０００７】
また、前記貫通孔に連通する凹所を座板の下面に設けた構成とすることにより、座板の周縁に向かう引張力に対する覆い布の座板への結合力を高めることができる椅子を提供することを目的とする。
【０００８】
また、前記凹所が隣り合う貫通孔を連通させる溝である構成とすることにより、座板の周縁に向かう引張力に対する覆い布の座板への結合力をより一層高めることができる椅子を提供することを目的とする。
【０００９】
【課題を解決するための手段】
第１発明に係る椅子は、上面が覆い布により覆われた座板を有する椅子において、前記座板の周縁部には複数の貫通孔を周方向に有しており、該貫通孔に接着剤が充填されており、前記覆い布の周縁部は前記座板の下面で前記接着剤に接着されていることを特徴とする。
【００１０】
第２発明に係る椅子は、上面が緩衝板を介して覆い布により覆われた座板を有する椅子において、前記座板の周縁部には複数の貫通孔を周方向に有しており、該貫通孔に接着剤が充填されており、前記緩衝板の周縁部は前記座板の上面で前記接着剤に接着されており、前記覆い布の周縁部は前記座板の下面で前記接着剤に接着されていることを特徴とする。
【００１１】
第１発明及び第２発明にあっては、椅子が使用される場合、覆い布の結合部には座板の周縁に向かう引張力が加わることになるが、覆い布が接着された接着剤は座板を貫通する貫通孔に充填されているため、使用時の覆い布に加わる引張力によって接着剤が貫通孔から抜け出るのを防ぐことができ、この状態の接着剤に覆い布が接着されているため、前記引張力に耐え得る結合力を得ることができる。しかも、覆い布は接着剤に接着されているため、覆い布の周縁部を摘んで覆い布を座板の厚さ方向へ引張ることにより、覆い布を剥離することができる。従って、ホチキスの針で結合された覆い布を剥がす場合に比べて覆い布を簡易に取外すことができ、分別回収作業能率を向上できる。
また、第２発明にあっては、覆い布を座板に結合するための接着剤に緩衝板の周縁部を接着してあるため、緩衝板専用の接着剤が不要であり、この接着剤を塗布する工程を省略でき、椅子の組立て作業能率を向上できる。
【００１２】
第３発明に係る椅子は、前記座板の下面は前記貫通孔に連通する凹所を有することを特徴とする。
第３発明にあっては、貫通孔及び該貫通孔に連通する凹所に接着剤が充填されるため、座板の周縁に向かう引張力に対する接着剤の座板への保持力を高めることができ、座板の周縁に向かう引張力に対する覆い布の座板への結合力を高めることができる。
【００１３】
第４発明に係る椅子は、前記凹所は隣り合う貫通孔を連通させる溝であることを特徴とする。
第４発明にあっては、各貫通孔に充填された接着剤同士を連続して繋がらせることができるため、座板の周縁に向かう引張力に対する接着剤の座板への保持力をより一層高めることができ、座板の周縁に向かう引張力に対する覆い布の座板への結合力をより一層高めることができる。
【００１４】
【発明の実施の形態】
以下本発明をその実施の形態を示す図面に基づいて詳述する。
実施の形態１
図１は本発明に係る椅子の実施の形態１の構成を示す斜視図、図２は座板部分を分解した斜視図、図３は座板の部分拡大断面図である。
椅子は略円形の座板１と、該座板１のほぼ中央部に結合され、座板１を支持する脚体２と、前記座板１の上面を緩衝板３を介して覆う覆い布４と、前記座板１の下面に結合され、座板１の一側から上方へ延出された背凭れ５とを備えている。
【００１５】
座板１はポリプロピレン製であり、成形されている。この座板１の周縁部で、下面には環状の溝１１が設けられている。この溝１１には座板１を厚さ方向に貫通する複数の貫通孔１２が周方向に離間して設けられている。溝１１は貫通孔１２の孔径よりも広幅になっており、隣り合う全ての貫通孔１２を連通させている。溝１１及び各貫通孔１２にはホットメルト接着剤が充填される。
覆い布４は織物、皮革、合成樹脂シート等のシート材からなり、座板１よりも大径の円形に形成されている。緩衝板３はウレタンフォーム等のクッション材からなり、座板１よりも若干小径の円形に形成されている。
【００１６】
図４は覆い布の一部を座板に結合した状態の底面図、図５の（ａ）　は図４のＶ−Ｖ線の拡大断面図、図５の（ｂ）　は（ａ）　のｂ−ｂ線の断面図である。
以上のように構成された椅子は、座板１に脚体２及び背凭れ５が結合されていない状態で、座板１に覆い布４が結合される。この覆い布４の結合は、座板１の下面１ａを上側にした状態でホットメルト接着剤６を溝１１側から溝１１及び貫通孔１２に充填し、貫通孔１２の溝と反対側縁から溢れさせる。このホットメルト接着剤６の充填は、ホットメルト接着剤６が収容され、ノズルを有する充填器具によって容易に行うことができる。
【００１７】
次に、座板１を反転し、座板１の上面１ｂに緩衝板３を載せ、該緩衝板３の周縁部を前記貫通孔１２から溢れたホットメルト接着剤６に接着させ、該ホットメルト接着剤６を介して座板１に結合する。この後、座板１の下面１ａを上側にした状態で座板１を展開された覆い布４に載せ、該覆い布４の周縁部を座板１の周縁部に沿って溝１１側へ引張りつつ溝１１に充填されているホットメルト接着剤６に接着させ、該ホットメルト接着剤６を介して覆い布４の周縁部を座板１に結合する。
【００１８】
椅子が使用される際には、覆い布４の座板１への結合部に、座板１の周縁に向かう引張力が加わることになるが、環状の溝１１内のホットメルト接着剤６及び隣り合う全ての貫通孔１２内のホットメルト接着剤６は連続して繋がっており、しかも、貫通孔１２から溢れたホットメルト接着剤６に緩衝板３が接着されているため、座板１の周縁に向かう引張力によってホットメルト接着剤６が貫通孔１２及び溝１１から抜け出るのを防ぐことができ、ホットメルト接着剤６の座板１への保持力を高めることができる。従って、ホットメルト接着剤６によりポリプロピレン製の座板１に覆い布４を結合する構成において、座板１の周縁に向かう引張力に対する覆い布４の座板１への結合力を高めることができる。
【００１９】
椅子をリサイクルするために座板１等の部品を分別回収する際、覆い布４の周縁部を摘んで覆い布４を座板１の厚さ方向へ引張ることにより、覆い布４をホットメルト接着剤６から剥離させることができ、覆い布４を座板１から取外すことができる。従って、ホチキスの針で結合された覆い布４を剥がす場合に比べて覆い布４を簡易に取外すことができ、分別回収作業能率を向上できる。
【００２０】
尚、実施の形態１において、前記溝１１は、前記貫通孔１２の孔径よりも広幅とする他、貫通孔１２の孔径よりも狭い幅としてもよいし、また、全ての貫通孔１２を連通させるように環状とする他、非環状の１つの溝１１、又は、座板１の周方向に離間する複数の溝１１としてもよい。
【００２１】
実施の形態２
図６は本発明に係る椅子の実施の形態２の構成を示す座板の部分拡大断面図である。
この実施の形態２の椅子は、前記した環状の溝１１に代えて周方向に離間する複数の凹所１３を座板１に設け、各凹所１３に座板１を厚さ方向に貫通する前記貫通孔１２を設けたものである。
【００２２】
凹所１３は座板１の周縁部で、下面１ａに設けられている。この凹所１３は貫通孔１２の孔径よりも広幅で、しかも、その長手方向が座板１の周方向となる略矩形に形成されている。
【００２３】
実施の形態２にあっては、貫通孔１２及び該貫通孔１２に連通する凹所１３にホットメルト接着剤６が充填される。凹所内のホットメルト接着剤６及び貫通孔１２内のホットメルト接着剤６は連続して繋がっており、しかも、貫通孔１２から溢れたホットメルト接着剤６に緩衝板３が接着されているため、座板１の周縁に向かう引張力によってホットメルト接着剤６が貫通孔１２及び凹所１３から抜け出るのを防ぐことができ、ホットメルト接着剤６の座板１への保持力を高めることができる。従って、ホットメルト接着剤６によりポリプロピレン製の座板１に覆い布４を結合する構成において、座板１の周縁に向かう引張力に対する覆い布４の座板１への結合力を高めることができる。
【００２４】
その他の構成及び作用は実施の形態１と同じであるため、同様の部品については同じ符号を付し、その詳細な説明及び作用効果の説明を省略する。
尚、実施の形態２において、前記凹所１３は略矩形である他、長円形、円形であってもよく、凹所１３の形状は特に制限されない。
【００２５】
実施の形態３
図７は本発明に係る椅子の実施の形態３の構成を示す座板部分を分解した斜視図、図８は覆い布の一部を座板に結合した状態の底面図、図９の（ａ）　は図８のＶＩＩＩ−ＶＩＩＩ線の拡大断面図、図９の（ｂ）　は（ａ）　のｂ−ｂ線の断面図である。
この実施の形態３の椅子は、前記溝１１及び凹所１３をなくし、座板１の周縁部に、複数の前記貫通孔１２を周方向に設けたものである。
【００２６】
実施の形態３にあっては、各貫通孔１２にホットメルト接着剤６が貫通孔１２から溢れるように充填される。貫通孔１２から座板１の上面１ｂへ溢れたホットメルト接着剤６に緩衝板３が接着されているため、座板１の周縁に向かう引張力によってホットメルト接着剤６が貫通孔１２から抜け出るのを防ぐことができ、ホットメルト接着剤６の座板１への保持力を高めることができる。従って、ホットメルト接着剤６によりポリプロピレン製の座板１に覆い布４を結合する構成において、座板１の周縁に向かう引張力に対する覆い布４の座板１への結合力を高めることができる。
その他の構成及び作用は実施の形態１と同じであるため、同様の部品については同じ符号を付し、その詳細な説明及び作用効果の説明を省略する。
【００２７】
尚、実施の形態３において、貫通孔１２は円柱形に形成されているが、その他、例えば座板１の下面１ａで大径となる略円錐形、略角錐形としてもよい。この場合、貫通孔１２から座板１の上面１ｂへ溢れさせるホットメルト接着剤６の溢れ部分によってホットメルト接着剤６を貫通孔１２から抜け出し難くできる。
【００２８】
以上説明した実施の形態では、座板１の上面１ｂと覆い布４との間に緩衝板３を有する構成としたが、その他、この緩衝板３をなくした構成としてもよい。この場合、貫通孔１２に充填するホットメルト接着剤６は座板１の上面１ｂへ溢れさせなくともよいが、上面１ｂへ溢れさせた方がホットメルト接着剤６を貫通孔１２から抜け出し難くできる。
【００２９】
また、以上説明した実施の形態では、ポリプロピレン製の座板１にホットメルト接着剤６によって覆い布４を結合するようにしたが、その他、座板１は合成樹脂製であればよく、ポリプロピレンに限定されない。また、ホットメルト接着剤６以外の接着剤であってもよい。また、接着剤は前記貫通孔１２、溝１１、凹所１３内で満杯となるように充填する他、満杯とならないように充填してもよく、その充填量は制約されない。
また、本発明に係る椅子は座板１を支持する脚体２を備えた構成、及び背凭れ５を備えた構成に限定されるものでない。
【００３０】
【発明の効果】
以上詳述したように第１発明によれば、座板の周縁部に設けられた複数の貫通孔に接着剤が充填され、該接着剤に覆い布の周縁部が接着されているため、使用時の覆い布に加わる引張力によって接着剤が貫通孔から抜け出るのを防ぐことができ、前記引張力に耐え得る結合力を得ることができる。しかも、覆い布の周縁部を摘んで覆い布を座板の厚さ方向へ引張ることにより、覆い布を剥離させることができるため、ホチキスの針で結合された覆い布を剥がす場合に比べて覆い布を簡易に取外すことができ、分別回収作業能率を向上できる。
【００３１】
第２発明によれば、座板の周縁部に設けられた複数の貫通孔に接着剤が充填され、座板の上面で緩衝板が前記接着剤に接着され、座板の下面で覆い布が前記接着剤に接着されているため、使用時の覆い布に加わる引張力によって接着剤が貫通孔から抜け出るのを防ぐことができ、前記引張力に耐え得る結合力を得ることができる。しかも、覆い布の周縁部を摘んで覆い布を座板の厚さ方向へ引張ることにより、覆い布を剥離させることができるため、ホチキスの針で結合された覆い布を剥がす場合に比べて覆い布を簡易に取外すことができ、分別回収作業能率を向上できる。さらに、覆い布を座板に結合するための接着剤に緩衝板の周縁部を結合してあるため、緩衝板専用の接着剤が不要であり、この接着剤を塗布する工程を省略でき、椅子の組立て作業能率を向上できる。
【００３２】
第３発明によれば、貫通孔及び該貫通孔に連通する凹所に接着剤が充填されるため、座板の周縁に向かう引張力に対する接着剤の座板への保持力を高めることができ、座板の周縁に向かう引張力に対する覆い布の座板への結合力を高めることができる。
【００３３】
第４発明によれば、座板の周縁に向かう引張力に対する接着剤の座板への保持力をより一層高めることができ、座板の周縁に向かう引張力に対する覆い布の座板への結合力をより一層高めることができる。
【図面の簡単な説明】
【図１】本発明に係る椅子の実施の形態１の構成を示す斜視図である。
【図２】本発明に係る椅子の実施の形態１の構成を示す座板部分を分解した斜視図である。
【図３】本発明に係る椅子の実施の形態１の構成を示す座板の部分拡大断面図である。
【図４】本発明に係る椅子の実施の形態１の構成を示す覆い布の一部を座板に結合した状態の底面図である。
【図５】（ａ）　は図４のＶ−Ｖ線の拡大断面図、（ｂ）　は（ａ）　のｂ−ｂ線の断面図である。
【図６】本発明に係る椅子の実施の形態２の構成を示す座板の部分拡大断面図である。
【図７】本発明に係る椅子の実施の形態３の構成を示す座板部分を分解した斜視図である。
【図８】本発明に係る椅子の実施の形態３の構成を示す覆い布の一部を座板に結合した状態の底面図である。
【図９】（ａ）　は図８のＶＩＩＩ−ＶＩＩＩ線の拡大断面図、（ｂ）　は（ａ）　のｂ−ｂ線の断面図である。
【図１０】従来の椅子における覆い布の座板への結合構造を示す一部を省略した底面図である。
【符号の説明】
１　　座板
１ａ　下面
１１　溝
１２　貫通孔
１３　凹所
３　　緩衝板
４　　覆い布
６　　ホットメルト接着剤（接着剤）
【図１】
2004049742.tif 000003
【図２】
2004049742.tif 000004
【図３】
2004049742.tif 000005
【図４】
2004049742.tif 000006
【図５】
2004049742.tif 000007
【図６】
2004049742.tif 000008
【図７】
2004049742.tif 000009
【図８】
2004049742.tif 000010
【図９】
2004049742.tif 000011
【図１０】
2004049742.tif 000012